(57)【要約】【課題】  作業台の作業床の外周に手摺枠を立設した後に、幅木を簡単かつ確実に配置固定することができる幅木固定具及び幅木取付構造を提供する。【解決手段】  幅木６１の端部を上側から嵌脱自在に嵌合する凹状嵌合部６９と上下方向の支持孔７３を形成した支持部７０とを有する具本体６７と、凹状嵌合部６９に嵌合した幅木端部が抜脱しないようにその上方移動を規制する規制部材６８とを備えており、規制部材６８は上下方向の支持軸部７７と支持軸部７７の上端部から水平方向に折曲した規制部７８とを備え、規制部７８が凹状嵌合部６９の上方に位置する規制位置Ｐと凹状嵌合部６９の上方から外れる退避位置Ｒとに移動するように、規制部材６８の支持軸部７７が支持部７０に軸心廻りに回動自在に支持されている。【選択図】図１０
2015218456.tif 000002
【特許請求の範囲】
【請求項１】
作業台（１）の作業床（３）の外周に立設される手摺枠（１７）の縦枠杆（２１）の下部に幅木（６１）の端部を固定する幅木固定具であって、
縦枠杆（２１）に対して固定されていて幅木（６１）の端部を上側から嵌脱自在に嵌合する凹状嵌合部（６９）と上下方向の支持孔（７３）を形成した支持部（７０）とを有する具本体（６７）と、前記支持部（７０）の支持孔（７３）に挿入されていて凹状嵌合部（６９）に嵌合した幅木端部が抜脱しないようにその上方移動を規制する規制部材（６８）とを備えており、
規制部材（６８）は上下方向の支持軸部（７７）と支持軸部（７７）の上端部から水平方向に折曲した規制部（７８）とを備え、規制部（７８）が凹状嵌合部（６９）の上方に位置する規制位置（Ｐ）と凹状嵌合部（６９）の上方から外れる退避位置（Ｒ）とに移動するように、規制部材（６８）の支持軸部（７７）が支持部（７０）に軸心廻りに回動自在に支持されていることを特徴とする幅木固定具。
【請求項２】
具本体（６７）の支持部（７０）の上端部に、規制部材（６８）の規制部（７８）を前記規制位置（Ｐ）に移動したときに係合する第１係合凹部（７４）と、前記退避位置（Ｒ）に移動したときに係合する第２係合凹部（７５）とが形成され、規制部材（６８）の支持軸部（７７）を下方に付勢する付勢部材（８２）が具備されていることを特徴とする請求項１に記載の幅木固定具。
【請求項３】
具本体（６７Ａ）は、縦枠杆（２１）の外面に添う円弧状に形成されかつ縦枠杆（２１）の下部に添設固定される取付部（７１）を有することを特徴とする請求項１又は２に記載の幅木固定具。
【請求項４】
具本体（６７Ｂ）は、凹状嵌合部（６９Ｂ）の外面側に、縦枠杆（２１）に対して固定される第１幅木（６１Ａ）に没設された固定部（８５）を有し、第１幅木（６１Ａ）と直交する方向の第２幅木（６１Ｂ）の端部が凹状嵌合部（６９Ｂ）に嵌合固定されていることを特徴とする請求項１又は２に記載の幅木固定具。
【請求項５】
作業台（１）の作業床（３）の外周に、両端部に縦枠杆（２１）を有する一対の手摺枠（１７）が対向して設けられ、対向する手摺枠（１７）の縦枠杆（２１）の下部間に幅木（６１Ａ）を配置固定するようにした幅木取付構造であって、
対向する手摺枠（１７）の縦枠杆（２１）の下部に、前記請求項１〜３のいずれかに記載の幅木固定具（６５Ａ）がその凹状嵌合部（６９Ａ）同士が対向するようにそれぞれ固着され、これら幅木固定具（６５Ａ）の凹状嵌合部（６９Ａ）に幅木（６１Ａ）の両端部がそれぞれ嵌合保持されていることを特徴とする幅木取付構造。
【請求項６】
作業台（１）の作業床（３）の外周に、両端部に縦枠杆（２１）を有する一対の手摺枠（１７）が対向して設けられ、対向する手摺枠（１７）の縦枠杆（２１）の下部間にそれぞれ第１幅木（６１Ａ）が対向して配置固定され、対向する第１幅木（６１Ａ）の端部間に第２幅木（６１Ｂ）を配置固定するようにした幅木取付構造であって、
対向する第１幅木（６１Ａ）の端部に、前記請求項１、２又は４に記載の幅木固定具がその凹状嵌合部同士が対向するようにそれぞれ固着され、これら幅木固定具の凹状嵌合部に第２幅木（６１Ｂ）の両端部がそれぞれ嵌合保持されていることを特徴とする幅木取付構造。
【請求項７】
作業台（１）の作業床（３）の外周に、両端部に縦枠杆（２１）を有する一対の手摺枠（１７）が対向して設けられ、対向する手摺枠（１７）の縦枠杆（２１）の下部間にそれぞれ第１幅木（６１Ａ）が対向して配置固定され、対向する第１幅木（６１Ａ）の端部間
にそれぞれ第２幅木（６１Ｂ）が対向して配置固定された幅木取付構造であって、
対向する手摺枠（１７）の縦枠杆（２１）の下部に、前記請求項１〜３のいずれかに記載の幅木固定具がその凹状嵌合部同士が対向するようにそれぞれ固着され、これら幅木固定具の凹状嵌合部に第１幅木（６１Ａ）の両端部がそれぞれ嵌合保持され、
対向する第１幅木（６１Ａ）の端部に、前記請求項１、２又は４に記載の幅木固定具がその凹状嵌合部同士が対向するようにそれぞれ固着され、これら幅木固定具の凹状嵌合部に第２幅木（６１Ｂ）の両端部がそれぞれ嵌合保持されていることを特徴とする幅木取付構造。
【発明の詳細な説明】
【技術分野】
【０００１】
本発明は、作業床の外周に幅木が配置固定するための幅木固定具及びこれを使用した幅木取付構造に関するものである。
【背景技術】
【０００２】
作業台には、作業床の外周に、両端部に縦枠杆を有する一対の手摺枠が対向して設けられ、対向する手摺枠の縦枠杆の下部間にそれぞれ第１幅木が配置固定されると共に、各手摺枠の縦枠杆の下部間に第２幅木が配置固定されたものがある。
この種の従来の幅木取付構造では、第１幅木及び第２幅木の長手方向の両端部に幅木の半幅に設定された筒状連結部がそれぞれ設けられ、作業台の支柱に第１幅木の筒状連結部と第２幅木の筒状連結部とを重ねて嵌合し、その後に作業台の支柱に手摺枠の両端部に設けられた縦枠杆を連結することにより、第１幅木及び第２幅木を配置固定するようにしていた（例えば特許文献１）。
【先行技術文献】
【特許文献】
【０００３】
【特許文献１】特開平９−３１７１６０号公報
【発明の概要】
【発明が解決しようとする課題】
【０００４】
しかし、従来の場合、作業台の作業床の外周に手摺枠を立設する前に、幅木を配置する作業をしなければならず、作業がやりにくいという問題があった。
本発明は上記問題点に鑑み、作業台の作業床の外周に手摺枠を立設した後に、幅木を簡単かつ確実に配置固定することができる幅木固定具及びこの幅木固定具を使用した幅木取付構造を提供することを目的としている。
【課題を解決するための手段】
【０００５】
本発明における課題解決のための具体的手段は、次の通りである。
この技術的課題を解決する本発明の幅木固定具の技術的手段は、作業台１の作業床３の外周に立設される手摺枠１７の縦枠杆２１の下部に幅木６１の端部を固定する幅木固定具であって、
縦枠杆２１に対して固定されていて幅木６１の端部を上側から嵌脱自在に嵌合する嵌合凹部６９と上下方向の支持孔７３を形成した支持部７０とを有する具本体６７と、前記支持部７０の支持孔７３に挿入されていて嵌合凹部６９に嵌合した幅木端部が抜脱しないようにその上方移動を規制する規制部材６８とを備えており、
規制部材６８は上下方向の支持軸部７７と支持軸部７７の上端部から水平方向に折曲した規制部７８とを備え、規制部７８が嵌合凹部６９の上方に位置する規制位置Ｐと嵌合凹部６９の上方から外れる退避位置Ｒとに移動するように、規制部材６８の支持軸部７７が支持部７０に軸心廻りに回動自在に支持されている点にある。
【０００６】
また、本発明の他の技術的手段は、具本体６７の支持部７０の上端部に、規制部材６８の規制部７８を前記規制位置Ｐに移動したときに係合する第１係合凹部７４と、前記退避位置Ｒに移動したときに係合する第２係合凹部７５とが形成され、規制部材６８の支持軸部７７を下方に付勢する付勢部材８２が具備されている点にある。
また、本発明の他の技術的手段は、具本体６７Ａは、縦枠杆２１の外面に添う円弧状に形成されかつ縦枠杆２１の下部に添設固定される取付部７１を有する点にある。
【０００７】
また、本発明の他の技術的手段は、具本体６７Ｂは、嵌合凹部６９Ｂの外面側に、縦枠杆２１に対して固定される第１幅木６１Ａに没設された固定部８５を有し、第１幅木６１Ａと直交する方向の第２幅木６１Ｂの端部が嵌合凹部６９Ｂに嵌合固定されている点にある。
また、本発明の幅木取付構造の技術的手段は、作業台１の作業床３の外周に、両端部に縦枠杆２１を有する一対の手摺枠１７が対向して設けられ、対向する手摺枠１７の縦枠杆２１の下部間に幅木６１Ａを配置固定するようにした幅木取付構造であって、
対向する手摺枠１７の縦枠杆２１の下部に、前記請求項１〜３のいずれかに記載の幅木固定具６５Ａがその嵌合凹部６９Ａ同士が対向するようにそれぞれ固着され、これら幅木固定具６５Ａの嵌合凹部６９Ａに幅木６１Ａの両端部がそれぞれ嵌合保持されている点にある。
【０００８】
また、本発明の他の技術的手段は、作業台１の作業床３の外周に、両端部に縦枠杆２１を有する一対の手摺枠１７が対向して設けられ、対向する手摺枠１７の縦枠杆２１の下部間にそれぞれ第１幅木６１Ａが対向して配置固定され、対向する第１幅木６１Ａの端部間に第２幅木６１Ｂを配置固定するようにした幅木取付構造であって、
対向する第１幅木６１Ａの端部に、前記幅木固定具がその嵌合凹部同士が対向するようにそれぞれ固着され、これら幅木固定具の嵌合凹部に第２幅木６１Ｂの両端部がそれぞれ嵌合保持されている点にある。
【０００９】
また、本発明の他の技術的手段は、作業台１の作業床３の外周に、両端部に縦枠杆２１を有する一対の手摺枠１７が対向して設けられ、対向する手摺枠１７の縦枠杆２１の下部間にそれぞれ第１幅木６１Ａが対向して配置固定され、対向する第１幅木６１Ａの端部間にそれぞれ第２幅木６１Ｂが対向して配置固定された幅木取付構造であって、
対向する手摺枠１７の縦枠杆２１の下部に、前記幅木固定具がその嵌合凹部同士が対向するようにそれぞれ固着され、これら幅木固定具の嵌合凹部に第１幅木６１Ａの両端部がそれぞれ嵌合保持され、
対向する第１幅木６１Ａの端部に、前記記載の幅木固定具がその嵌合凹部同士が対向するようにそれぞれ固着され、これら幅木固定具の嵌合凹部に第２幅木６１Ｂの両端部がそれぞれ嵌合保持されている点にある。
【発明の効果】
【００１０】
本発明によれば、作業台の作業床の外周に手摺枠を立設した後に、手摺枠の縦枠杆に対して固定した幅木固定具の嵌合凹部に幅木の端部を上側から嵌合し、この状態で規制部材を支持軸部の軸心廻りに回動して規制部を嵌合凹部の上方に位置する規制位置に移動することにより、幅木の端部が嵌合凹部から抜脱しないようにし、幅木を作業床の外周に配置して手摺枠の縦枠杆に簡単に固定することができる。
【００１１】
また、作業床から幅木を取り外す場合も、手摺枠が立設されている状態で、規制部材を支持軸部の軸心廻りに回動して規制部を嵌合凹部の上方から外れる退避位置に移動することによって、幅木固定具の嵌合凹部から幅木の端部を上側へ取り外すことが可能になり、幅木を作業床から簡単に取り外すことができる。
従って、作業台の作業床の外周に手摺枠を立設した状態で、幅木を作業床に簡単に配置固定したり取り外したりすることができる。
【図面の簡単な説明】
【００１２】
【図１】本発明の第１実施形態を示す作業台の全体斜視図である。
【図２】同作業台の上部の斜視図である。
【図３】同作業台の上部の正面図である。
【図４】同作業台の上部の側面図である。
【図５】同作業台の上部の要部の拡大斜視図である。
【図６】同手摺枠及び幅木の端部の正面図である。
【図７】同手摺枠及び幅木の端部の側面図である。
【図８】図６のＡ−Ａ線断面図である。
【図９】図６のＢ−Ｂ線断面図である。
【図１０】図６のＣ−Ｃ線断面図である。
【図１１】第１幅木及び第２幅木を内側から見た側面図である。
【図１２】第１幅木及び第２幅木の正面図である。
【図１３】中枠の把持部材側の平面図である。
【図１４】第２実施形態を示す縦枠杆及び第１幅木固定具及び第２幅木固定具の平面断面図である。
【発明を実施するための形態】
【００１３】
以下、本発明の実施の形態を図面に基づいて説明する。
図１〜図１３は本発明の第１実施形態を示している。図１において、組み立て式作業台１は、上下方向に長い直方体形状に枠組み形成された本体フレーム２と、本体フレーム２の上端部に設けられた矩形状の水平な作業床３とを備えている。
本体フレーム２は、下端部にキャスター５を有する４本の支柱６と、各支柱６の下部に取り付けられたジャッキ付きのアウトリガー７とを有している。各支柱６は複数の縦パイプを上下方向に着脱自在に接続して構成されている。
【００１４】
この本体フレーム２は、２本の支柱６を横杆１０で連結しかつ梯子１１を設けた枠体を、２組対向させて多数本の交叉筋交い９で連結しており、枠体の幅を幅方向、枠体の対向方向を長手方向と称し、長手方向は交叉筋交い９及び作業床３を変更することにより長さ変更可能になっている。
図１〜図４において、作業床３は、長手方向に対向する一対の支持杆１３と、幅方向に水平状に並べて配置した複数のアルミ製の布板１４とを備えてなり、支持杆１３は作業床３の幅方向に対応する支柱６の上端部にそれぞれ連結固定されている。布板１４にはその４角部に係合具１５がそれぞれ突設されており、各係合具１５を一対の支持杆１３に上側から係合固定することにより、布板１４は一対の支持杆１３に着脱自在に連結固定されている。
【００１５】
作業者が枠体の梯子１１を登って乗り上がる作業床３の長手方向の両端部に一対の手摺枠１７が対向して設けられ、作業床３の幅方向の両端部に一対の布枠１８が対向して設けられている。従って、対向する手摺枠１７の端部間にそれぞれ布枠１８が配置されており、作業床３の外周は一対の手摺枠１７と一対の布枠１８とで取り囲まれている。
図２〜図５において、対向する手摺枠１７は作業台１の作業床３の外周に立設されており、両端部に一対の縦枠杆２１を有すると共に、一対の縦枠杆２１の上部に連結された上桟２２と上桟２２の下方に配置された中桟２３とを有し、上桟２２の下方であって前記梯子１１に対応する側が作業床３に乗り込むための昇降口２５とされている。
【００１６】
４本の縦枠杆２１の下部は、それぞれ本体フレーム２の各支柱６の上端部に着脱自在に連結固定されている。
図６及び図７に示すように、縦枠杆２１の下部に接続筒体２７が下方突出状に内嵌されて、ボルトナット２８により締め付け固定されている。接続筒体２７の内部に上側が逆Ｕ字状に湾曲されたスプリング板２９が収納され、スプリング板２９の上部に突設した一対の操作ピン３０が縦枠杆２１の下部に設けた切欠凹部３１から外方突出され、スプリング板２９の下部に突設した係合ピン３２が接続筒体２７から外方突出されており、係合ピン３２と同一側の操作ピン３０を径方向内方に押圧操作することによって、係合ピン３２が接続筒体２７内に後退するように構成されている。
【００１７】
縦枠杆２１は接続筒体２７を支柱６の上端開口から内嵌挿入すると、係合ピン３２が一旦没入した後に支柱６の係止孔３３から外方突出して、接続筒体２７が支柱６から上方に抜脱しないように係合する。これにより、縦枠杆２１を支柱６に上方突出状で回動したり抜脱したりしないように簡単に連結固定できる。
また、接続筒体２７の下端が支柱６に挿通保持した受止ピン３４に上側から接当して縦枠杆２１の荷重を受けるようになっている。
【００１８】
図１〜図９において、一対の縦枠杆２１にそれぞれ支持部材３７が設けられている。支持部材３７は縦枠杆２１に固定された二叉状の固定部３８と、中桟２３の後述する支持腕部４１を支持する凹状支持部３９とを有し、固定部３８が縦枠杆２１の上下中途部の外周面に溶接等により固着されて、支持部材３７は縦枠杆２１から手摺枠１７の長手方向の内方に突設されている。
【００１９】
凹状支持部３９は支持部材３７の先端側にあって作業床３の内外方向の内方に向けて開口した凹部３９ａを有して、平面視でコ字状に形成されている。
中桟２３はその両端部に一対の支持腕部４１を有し、支持部材３７の凹状支持部３９の凹部３９ａに支持腕部４１が嵌合されると共に、支持腕部４１と支持部材３７とに枢支軸４２が中桟２３と平行に挿通されている。これにより、一対の支持腕部４１が縦枠杆２１
にそれぞれ中桟２３と平行な枢支軸４２廻りに上下揺動自在に連結され、その揺動は中桟２３が作業床３の内外方向の内側を通って揺動する範囲に規制されている。
【００２０】
図８に示すように、前記枢支軸４２はボルト４３のボルト軸により構成され、凹状支持部３９の固定部３８側に筒状のナット嵌合部４４が設けられ、ボルト４３が凹状支持部３９と支持腕部４１とに固定部３８とは反対側から挿通され、ボルト４３に螺合したナット４６がナット嵌合部４４に内嵌されて廻り止めされている。
而して、中桟２３は、手摺枠１７の一対の縦枠杆２１に、上桟２２に近づいて昇降口２５を狭くする閉鎖姿勢Ｘと上桟２２から下方に離間して昇降口２５を広くする開口姿勢Ｙとに姿勢変更自在に連結され、作業床３の内外方向の内側を通って閉鎖姿勢Ｘと開口姿勢Ｙとに姿勢変更するようになっている。なお、中桟２３は開口姿勢Ｙのとき、後述する幅木６１の上に載置される。
【００２１】
中桟２３を閉鎖姿勢Ｘに保持するように作業床３の内外方向の内側から縦枠杆２１に着脱自在に把持固定される把持部材４５が、中桟２３の昇降口２５側端部（梯子１１側端部）に設けられている。
図１３に示すように、把持部材４５は、円弧状に湾曲した部材本体４７と、部材本体４７の基部に横軸４８廻りに揺動自在でかつ長孔４９の範囲で移動自在に保持されたロック体５０とを備え、ロック体５０は部材本体４７との間で縦枠杆２１を挟持固定する挟持姿勢Ｋとその挟持固定を解除する解除姿勢Ｌとに姿勢変更自在とされている。部材本体４７の基部内にロック体５０を付勢するバネ５１が設けられ、バネ５１はロック体５０が挟持姿勢Ｋになったときにロック体５０を挟持姿勢Ｋ側に付勢し、解除姿勢Ｌになったときにロック体５０を解除姿勢Ｌ側に付勢するように構成されている。
【００２２】
中桟２３を開口姿勢Ｙから閉鎖姿勢Ｘに移動して、部材本体４７を縦枠杆２１に外嵌させたときにロック体５０の内端部が縦枠杆２１に押圧されてロック体５０が挟持姿勢Ｋに姿勢変更して部材本体４７との間で縦枠杆２１を挟持固定し、このときにバネ５１がロック体５０を挟持姿勢Ｋ側に付勢して縦枠杆２１を挟持固定した状態に保持する。
中桟２３は閉鎖姿勢Ｘの状態からバネ５１の付勢に抗してロック体５０の外端部を矢印ａ方向に押圧しながら部材本体４７を矢印ｂ方向に引っ張り又は押すことによって、把持部材４５の縦枠杆２１への嵌合を外すことができるようになっている。
【００２３】
図２〜図５において、布枠１８は、上横枠杆５５と下横枠杆５６とこれらを連結する一対の連結縦杆５４とを有している。上横枠杆５５及び下横枠杆５６の両端部に前記中桟２３の把持部材４５と同様の把持部材５８が設けられており、上横枠杆５５及び下横枠杆５６は把持部材５８によって対向する手摺枠１７の縦枠杆２１にそれぞれ把持固定され、これにより布枠１８は対向する手摺枠１７の縦枠杆２１に着脱自在に連結されている。
【００２４】
上横枠杆５５の両端の把持部材５８は、縦枠杆２１に取り付けたボルトナット５７によって上下位置が保持されている。
図１〜図５において、対向する手摺枠１７の縦枠杆２１の下部間にそれぞれ第１幅木６１Ａ（幅木６１）が配置固定され、各手摺枠１７の縦枠杆２１の下部間にそれぞれ第２幅木６１Ｂ（幅木６１）が配置固定されている。従って、第１幅木６１Ａは作業床３の長手方向に沿って配置され、第２幅木６１Ｂは第１幅木６１Ａと直交する方向にあって、作業床３の幅方向に沿って配置され、一対の第１幅木６１Ａと一対の第２幅木６１Ｂとで作業床３の四片を取り囲んでいる。
【００２５】
図１１及び図１２に示すように、第１幅木６１Ａは、正面視略横長の矩形状の外壁ａ１と、外壁ａ１の上縁の上壁ａ２と、外壁ａ１の下縁の下壁ａ３とを有し、長手方向両端下部にくぼみａ４を形成しており、作業床３の内外方向の内側が開口した箱形に形成され、上壁ａ２の内端部から下方突出した上内壁ａ５と、下壁ａ３の内端部から上方突出した下内壁ａ６とが設けられている。
【００２６】
第１幅木６１Ａの長手方向の両端部に上壁ａ１をコの字状に切欠すると共に上内壁ａ５と下内壁ａ６とを切欠してなる取付凹部６３が形成されている。
第２幅木６１Ｂは、正面視略横長の矩形状の外壁ｂ１と、外壁ｂ１の上縁の上壁ｂ２と、外壁ｂ１の下縁の下壁ｂ３と、長手方向一対の側壁ｂ４とを有しており、作業床３の内
外方向の内側が開口した箱形に形成され、上壁ａ２の内端部から下方突出した上内壁ｂ５と、下壁ｂ３の内端部から上方突出した下内壁ｂ６とが設けられている。
【００２７】
図１〜図７、図１０〜図１２において、対向する手摺枠１７の縦枠杆２１の各下部に、第１幅木６１Ａの端部を固定する第１幅木固定具６５Ａ（幅木固定具６５）が固着され、対向する第１幅木６１Ａの両端部に、第２幅木６１Ｂの端部を固定する第２幅木固定具６５Ｂ（幅木固定具６５）がそれぞれ固着されている。
第１幅木固定具６５Ａは、縦枠杆２１に対して直接固定された具本体６７Ａ（具本体６７）と、具本体６７Ａに取り付けられた規制部材６８Ａ（規制部材６８）とを備え、具本体６７Ａは、第１幅木６１Ａの端部を上側から嵌脱自在に嵌合する凹状嵌合部６９Ａ（凹状嵌合部６９）と、規制部材６８Ａを支持する支持部７０Ａ（支持部７０）と、縦枠杆２１の下部に固定された取付部７１とを有している。
【００２８】
具本体６７Ａの取付部７１は、縦枠杆２１の外面に添う円弧状に形成されて、縦枠杆２１の下部に溶接等により添設固定されている。
凹状嵌合部６９Ａは、取付部７１から作業床３の幅方向内方に突出されていて、平面視で作業床３の長手方向内方に開口した溝６９ａを有してコの字状に形成されており、対向する手摺枠１７の縦枠杆２１にそれぞれ固定した第１幅木固定具６５Ａの凹状嵌合部６９Ａ同士が作業床３の長手方向に対向しており、この対向する凹状嵌合部６９Ａの溝６９ａに第１幅木６１Ａの両端部を上側から嵌合することによって、第１幅木６１Ａが作業床３の幅方向外端（外周）に沿って起立状に保持されている。
【００２９】
支持部７０Ａは凹状嵌合部６９Ａの開口端側に設けられ、上下方向の角筒状に形成され、その中央部に上下方向の支持孔７３が貫通状に形成されている。支持部７０Ａの上端部にくぼみ形状の第１係合凹部７４と第２係合凹部７５とが直線上に形成されている。
規制部材６８Ａは、凹状嵌合部６９Ａに嵌合した第１幅木６１Ａの端部が抜脱しないようにその上方移動を規制するものであり、１本の棒材を屈曲して、上下方向の支持軸部７７と支持軸部７７の上端部から水平方向に折曲した規制部７８とをＬ字状に備え、規制部７８が凹状嵌合部６９Ａの上方に位置する規制位置Ｐと凹状嵌合部６９Ａの上方から外れる退避位置Ｒとに移動するように、規制部材６８Ａの支持軸部７７が支持部７０Ａの支持孔７３に挿入されて軸心廻りに回動自在に支持されている。
【００３０】
規制部材６８Ａの支持軸部７７の下部は支持部７０Ａから下方に突出され、その突出端部に雄ねじが形成されていてナット８１が螺合されている。支持軸部７７の下部の支持部７０Ａとナット８１と間に付勢部材であるコイルバネ８２が外嵌され、コイルバネ８２の両端は支持軸部７７に外嵌した座金８３を介して支持部７０Ａとナット８１とに接当されており、コイルバネ８２は支持部７０Ａに対して支持軸部７７を下方に付勢している。
【００３１】
而して、コイルバネ８２の付勢によって、規制部材６８Ａの規制部７８が規制位置Ｐに移動したときに第１係合凹部７４に係合保持され、退避位置Ｒに移動したときに第２係合凹部７５に係合保持されるようになっている。
第２幅木固定具６５Ｂは、第１幅木６１Ａを介して縦枠杆２９に対して固定されるものであって、具本体６７Ｂ（具本体６７）と、具本体６７Ｂに取り付けられた規制部材６８Ｂ（規制部材６８）とを備えている。具本体６７Ｂは、第２幅木６１Ｂの端部を上側から嵌脱自在に嵌合する凹状嵌合部６９Ｂ（凹状嵌合部６９）と、規制部材６８Ｂを支持する支持部７０Ｂ（支持部７０）と、第１幅木６１Ａに没設された固定部８５とを有している。
【００３２】
具本体６７Ｂの固定部８５は、凹状嵌合部６９Ｂの外面側で形成されており、第１幅木６１Ａの取付凹部６３に嵌合固定されている。
具本体６７Ｂの凹状嵌合部６９Ｂは、平面視で作業床３の幅方向内方に開口した溝６９ｂを有してコの字状に形成されており、対向する第１幅木６１Ａの端部にそれぞれ固定した第２幅木固定具６５Ｂの凹状嵌合部６９Ｂ同士が作業床３の幅方向に対向し、この対向する凹状嵌合部６９Ｂに上側から第２幅木６１Ｂの両端部を嵌合することによって、第２幅木６１Ｂが作業床３の幅方向に沿って起立状に保持されている。
【００３３】
支持部７０Ｂは凹状嵌合部６９Ｂの開口端側に設けられ、前記第１幅木固定具６５Ａの
支持部７０Ａと同様に、上下方向の角筒状に形成され、上下方向に支持孔７３が形成されると共にその上部にくぼみ形状の第１係合凹部７４と第２係合凹部７５とが直線上に形成されている。
規制部材６８Ｂは、前記第１幅木固定具６５Ａの規制部材６８Ａと同様に、支持軸部７７と規制部７８とをＬ字状に備え、規制部７８が規制位置Ｐと退避位置Ｒとに移動するように規制部材６８Ｂの支持軸部７７が軸心廻りに回動自在に支持されている。また、ナット８１と座金８３とが設けられ、付勢部材であるコイルバネ８２が支持部７０Ｂに対して支持軸部７７を下方に付勢している。
【００３４】
前記実施形態によれば、作業者が作業台１の作業床３に昇る場合、作業者は梯子１１を登って、中桟２３の把持部材４５の縦枠杆２１への挟持固定を解除した後、中桟２３を枢支軸４２廻りに図７及び図９に示すｃ方向に揺動して、作業床３の内外方向の内側を通して閉鎖姿勢Ｘから開口姿勢Ｙに姿勢変更させる。これにより昇降口２５が広がり、この広がった昇降口２５から作業床３に楽に乗り込むことができる。
【００３５】
作業床３に乗り込んだ後、開口姿勢Ｙの中桟２３を把持して、中桟２３を枢支軸４２廻りに図７及び図９に示すｄ方向に揺動して、作業床３の内外方向の内側を通って閉鎖姿勢Ｘに姿勢変更させ、中桟２３の把持部材４５の部材本体４７を縦枠杆２１に外嵌させれば、把持部材４５で縦枠杆２１を把持固定し、中桟２３は閉鎖姿勢Ｘに保持される。これにより作業床３上で作業等をする際に昇降口２５を狭くしておくことができる。
【００３６】
従って、中桟２３で一対の縦枠杆２１の中途部を連結して手摺枠１７の強度を十分に高めることができる。しかも、作業床３に昇降する際には、中桟２３を開口姿勢Ｙに姿勢変更して昇降口２５を広くすることにより、作業者は作業床３に容易に昇降することができる。また、作業床３で作業等をする際には、中桟２３を閉鎖姿勢Ｘに姿勢変更して昇降口２５を狭くしておくことができる。
【００３７】
また、前記実施形態によれば、作業床３の外周に幅木６１を配置固定する場合、予め、作業床３に一対の手摺枠１７を立設し、手摺枠１７同士を一対の布枠１８で連結しておく、各手摺枠１７の縦枠杆２１の下部には第１幅木固定具６５Ａが設けられているので、一対の対向する第１幅木固定具６５Ａの嵌合凹部６９Ａに、上側から第１幅木６１Ａの両端部を挿入して嵌合し、規制部材６８Ａをやや上方に引っ張って規制部７８の第２係合凹部７５への係合を解除した後、規制部材６８Ａを支持軸部７７の軸心廻りに矢印ｅ方向に回動して規制部材６８Ａの規制部７８を規制位置Ｐに移動する。これにより、規制部７８がコイルバネ８２の付勢によって規制位置Ｐで第１係合凹部７４に係合保持され、嵌合凹部６９Ａに嵌合した第１幅木６１Ａの端部が規制部材６８Ａによって抜け止めされ、第１幅木６１Ａが対向する手摺枠１７の縦枠杆２１の下部間に配置固定される。
【００３８】
また、作業床３の外周に第２幅木６１Ｂを配置固定する場合、一対の縦枠杆２１に対して第１幅木６１Ａが固定されるので、縦枠杆２１に対して幅木固定具６５が固定されることになり、図１０〜図１２に示すように、一対の対向する第１幅木６１Ａの端部に固着した第２幅木固定金具６５Ｂの嵌合凹部６９Ｂに上側から第２幅木６１Ｂの両端部を嵌合し、規制部材６８Ｂをやや上方に引っ張って規制部７８の第２係合凹部７５への係合を解除した後、規制部材６８Ｂを支持軸部７７の軸心廻りに矢印ｇ方向に回動して規制部材６８Ｂの規制部７８を規制位置Ｐに移動する。これにより、規制部７８がコイルバネ８２の付勢によって規制位置Ｐで第１係合凹部７４に係合保持され、嵌合凹部６９Ｂに嵌合した第２幅木６１Ｂの端部が規制部材６８Ｂによって抜け止めされ、第２幅木６１Ｂが対向する第１幅木６１Ａの端部間に配置固定される。
【００３９】
また、作業床３から第１幅木６１Ａ及び第２幅木６１Ｂを取り外す場合も、手摺枠１７が立設されている状態のままで、第１幅木６１Ａ及び第２幅木６１Ｂを簡単に取り外すことができる。
図１４は第２実施形態を示し、作業台１の作業床３の外周に対向して設けられた一対の手摺枠１７の各縦枠杆２１に、それぞれ第１幅木６１Ａの端部を固定する第１幅木固定具６５Ａと、第２幅木６１Ｂの端部を固定する第２幅木固定具６５Ｂとをそれぞれ直接固定するようにしたものである。
【００４０】
第１幅木固定具６５Ａと第２幅木固定具６５Ｂとは同一の構成に形成されており、取付部７１と凹状嵌合部６９Ａ，６９Ｂと支持部７０Ａ，７０Ｂとを有する具本体６７Ａ，６７Ｂと具本体６７Ａ，６７Ｂに取り付けられた規制部材６８Ａ，６８Ｂとを備え、第１幅木固定具６５Ａは、対向する手摺枠１７の縦枠杆２１にそれぞれ固定した第１幅木固定具６５Ａの凹状嵌合部６９Ａ同士が作業床３の長手方向に対向するように固定され、第２幅木固定具６５Ｂは、手摺枠１７の一対の縦枠杆２１にそれぞれ固定した第２幅木固定具６５Ｂの凹状嵌合部６９Ｂ同士が作業床３の幅方向に対向するように固定されている。
【００４１】
なお、前記第２実施形態の場合、第１幅木固定具６５Ａと第２幅木固定具６５Ｂとを一体に形成するようにしてもよい。
なお、前記実施形態では、対向する手摺枠１７の縦枠杆２１の下部間にそれぞれ第１幅木６１Ａが配置固定され、各手摺枠１７の縦枠杆２１の下部間にそれぞれ第２幅木６１Ｂが配置固定されているが、これに代え、対向する手摺枠１７の縦枠杆２１の下部間のみにそれぞれ幅木を配置固定するようにしてもよいし、手摺枠１７の縦枠杆２１の下部間のみに幅木を配置固定するようにしてもよい。
【００４２】
また、前記実施形態では、規制部材６８の支持軸部７７を下方に付勢する付勢部材としてコイルバネ８２を使用しているが、これに代え、付勢部材としてコイルバネ以外の板バネその他を使用してもよい。
また、前記実施形態では、幅木固定部６５の支持部７０の上部に第１係合凹部７４と第２係合凹部７５とを直線上に形成しているが、これに代え、第１係合凹部７４と第２係合凹部７５とを直角状に交叉する方向に形成するようにしてもよい。
【符号の説明】
【００４３】
１      作業台
３      作業床
１７    手摺枠
２１    縦枠杆
２２    上桟
２３    中桟
２５    昇降口
３７    支持部材
３９    凹状支持部
４１    支持腕部
４２    枢支軸
４５    把持部材
６１    幅木
６１Ａ  第１幅木
６１Ｂ  第２幅木
６５    幅木固定具
６５Ａ  第１幅木固定具
６５Ｂ  第２幅木固定具
６７    具本体
６７Ａ  具本体
６７Ｂ  具本体
６８    規制部材
６８Ａ  規制部材
６８Ｂ  規制部材
６９    凹状嵌合部
６９Ａ  凹状嵌合部
６９Ｂ  凹状嵌合部
７０    支持部
７０Ａ  支持部
７０Ｂ  支持部
７１    取付部
７３    支持孔
７４    第１係合凹部
７５    第２係合凹部
７７    支持軸部
７８    規制部
８２    コイルバネ（付勢部材）
８５    固定部
Ｘ      閉鎖姿勢
Ｙ      開口姿勢
Ｐ      規制位置
Ｒ      退避位置
【図１】
2015218456.tif 000003
【図２】
2015218456.tif 000004
【図３】
2015218456.tif 000005
【図４】
2015218456.tif 000006
【図５】
2015218456.tif 000007
【図６】
2015218456.tif 000008
【図７】
2015218456.tif 000009
【図８】
2015218456.tif 000010
【図９】
2015218456.tif 000011
【図１０】
2015218456.tif 000012
【図１１】
2015218456.tif 000013
【図１２】
2015218456.tif 000014
【図１３】
2015218456.tif 000015
【図１４】
2015218456.tif 000016